(57)【要約】【課題】電子機器のディスプレイを簡単に拡大表示でき、その電子機器の携帯性および収納性を損ねることなく、第三者の覗き見を有効に防止すること。【解決手段】透明樹脂フィルム１０と、透明樹脂フィルム１０の片面に微細な凹凸を有する透明なフレネルレンズ２０とを備える視認性改良シート１００であって、フレネルレンズ２０は、透明樹脂フィルムより低硬度であって、繰り返し着脱可能な粘着性を有する視認性改良シート１００とする。【選択図】図２
2010243703.tif 000002
【特許請求の範囲】
【請求項１】
透明樹脂フィルムと、上記透明樹脂フィルムの片面に微細な凹凸を有する透明なフレネルレンズとを備える視認性改良シートであって、
上記フレネルレンズは、上記透明樹脂フィルムより低硬度であって、繰り返し着脱可能な粘着性を有することを特徴とする視認性改良シート。
【請求項２】
前記フレネルレンズは、シリコーンゴムまたはウレタンゴムからなることを特徴とする請求項１に記載の視認性改良シート。
【請求項３】
使用時以外は前記フレネルレンズの凹凸を覆うための剥離フィルムが設けられていることを特徴とする請求項１または２に記載の視認性改良シート。
【請求項４】
透明樹脂フィルムと、上記透明樹脂フィルムの片面に微細な凹凸を有する透明なフレネルレンズとを備える視認性改良シートであって、
上記透明樹脂フィルムの裏面において、上記フレネルレンズの周囲に上記凹凸の高さより突出する受け枠が設けられ、
上記受け枠は、上記透明樹脂フィルムより低硬度であって、繰り返し着脱可能な粘着性を有することを特徴とする視認性改良シート。
【発明の詳細な説明】
【技術分野】
【０００１】
本発明は、電子機器などのディスプレイに好適に用いられる視認性改良シートに関する。
【背景技術】
【０００２】
近年、携帯電話、携帯情報端末装置などの電子機器は広く使用されるようになってきた。上記の電子機器は、その携帯性を高めるために小型化が求められている。これに伴い、電子機器のディスプレイにも小型化が要求される。ディスプレイのサイズを小さくした場合には、電子機器の小型化には有利であるが、表示される文字または画像が小さくなり、視認性が低下することとなる。一方、携帯電話などの携帯情報端末からでもＥＣサイトなどが利用できるようになった今の時代、プライバシー保護のために情報の出入り口であるディスプレイにも他者が覗き見しないようにセキュリティを確保できることが要望されている。
【０００３】
従来から、携帯電話などのディスプレイを拡大させるため、次のような技術が提案されている。例えば、ディスプレイおよび操作部を有する携帯電話器において、ディスプレイおよび操作部を見やすくするために、拡大レンズを紐体を介して携帯電話の本体に取り付け、ディスプレイおよび操作部を拡大して見ることができるようにした考案が知られている。（例えば、特許文献１を参照）。
【０００４】
また、次のような携帯電話のディスプレイ拡大用器具、例えば、フレネルレンズを重ね合せたものの両脇周辺に金属、合成樹脂、ゴム類などの素材による部材を取り付け、その部材に各種の取り付け用部品を設けたもの、およびレンズの周囲に同様の部品を設けた部材を取り付けた縁取り部材を取り付けて、その部材に携帯電話の各機種の形状に合った携帯電話本体のディスプレイ周辺の両脇に取り付いて固定する部材を配置することにより、それらの部材がフレネルレンズを支えてディスプレイの上方部分に固定できる器具が知られている（例えば、特許文献２を参照）。
【先行技術文献】
【特許文献】
【０００５】
【特許文献１】実用新案登録第３０８４５２６号公報（特許請求の範囲など）
【特許文献２】特開２００３−０５７５６４号公報（特許請求の範囲など）
【発明の概要】
【発明が解決しようとする課題】
【０００６】
しかしながら、上記従来のディスプレイ拡大用器具には、次のような問題がある。特許文献１および特許文献２に開示されるディスプレイ拡大用器具の場合には、ある程度、ディスプレイの表示内容が拡大され、ディスプレイの視認性を高めるという有利な効果が認められる。しかし、特許文献１に開示されるディスプレイ拡大用器具を手で持ってディスプレイに当てることによって表示内容を視認することになるため、使用者の片手が塞がれる。このため、使い勝手が悪いという問題がある。また、特許文献２に開示されるディスプレイ拡大用器具を携帯電話の本体に取り付けると、携帯電話全体が大きくなるので、携帯性および収納性が不便になり、携帯電話本来の意匠性が悪くなるという問題がある。さらに、いずれの特許文献に開示される器具でも、第三者が横から覗き見するのを有効に防止することはできない。
【０００７】
そこで、本発明は、上記のような問題を解決するためになされたものであって、その目的とするところは、電子機器のディスプレイを簡単に拡大表示でき、その電子機器の携帯性および収納性を損ねることなく、第三者の覗き見を有効に防止することにある。
【課題を解決するための手段】
【０００８】
上記目的を達成するため、本発明は、透明樹脂フィルムと、透明樹脂フィルムの片面に微細な凹凸を有する透明なフレネルレンズとを備える視認性改良シートであって、フレネルレンズは、透明樹脂フィルムより低硬度であって、繰り返し着脱可能な粘着性を有する視認性改良シートとしている。
【０００９】
上述のような視認性改良シートとすることで、電子機器のディスプレイを簡単に拡大表示でき、その電子機器の携帯性および収納性を損ねることなく、第三者の覗き見を有効に防止することができる。すなわち、ディスプレイの表面に視認性改良シートを貼り付けるだけで、この視認性改良シートを手で保持することなく、ディスプレイに表示される文字および図形を拡大して視認することができる。また、フレネルレンズにてディスプレイの視野角を狭めるので、第三者による覗き見が困難となり、使用者のプライバシーを保護することができる。また、柔軟性および繰り返し着脱可能な粘着性を有するフレネルレンズを用いているので、ディスプレイの表面を傷つけないと同時に、ディスプレイの表面から取り外して保管したり、他のディスプレイに移して再使用することもできる。
【００１０】
また、別の発明は、上述の発明に加え、フレネルレンズは、シリコーンゴムまたはウレタンゴムからなる視認性改良シートとしている。
【００１１】
このような視認性改良シートとすることで、より柔軟性および繰り返し着脱可能な粘着性を有する視認性改良シートのフレネルレンズを形成できる。
【００１２】
また、別の発明は、上述の発明に加え、使用時以外はフレネルレンズの凹凸を覆うための剥離フィルムが設けられている視認性改良シートとしている。
【００１３】
このような視認性改良シートとすることで、携行が容易であると共に、この視認性改良シートを保管する場合には、視認性改良シートのフレネルレンズの裏面に剥離フィルムを元通りに貼り付けておけば、再使用が容易になる。
【００１４】
また、別の発明は、透明樹脂フィルムと、透明樹脂フィルムの片面に微細な凹凸を有する透明なフレネルレンズとを備える視認性改良シートであって、透明樹脂フィルムの裏面において、フレネルレンズの周囲に当該凹凸の高さより突出する受け枠が設けられ、当該受け枠は、透明樹脂フィルムより低硬度であって、繰り返し着脱可能な粘着性を有する視認性改良シートとしている。
【００１５】
このような視認性改良シートとすることで、電子機器のディスプレイを簡単に拡大表示でき、その電子機器の携帯性および収納性を損ねることなく、第三者の覗き見を有効に防止することができる。すなわち、フレネルレンズの代わりに、受け枠にてディスプレイの表面に対して視認性改良シートを接着すれば、この視認性改良シートを手で保持することなく、ディスプレイに表示される文字および図形を拡大して視認することができる。また、フレネルレンズにてディスプレイの視野角を狭めるので、第三者による覗き見が困難となり、使用者のプライバシーを保護することができる。また、柔軟性および繰り返し着脱可能な粘着性を有する受け枠が形成されているので、ディスプレイの表面を傷つけないと同時に、ディスプレイの表面から取り外して保管したり、他のディスプレイに移して再使用することができる。加えて、フレネルレンズの部分はディスプレイの表面に接触しないので、フレネルレンズは、必ずしも柔軟性および繰り返し着脱可能な粘着性を有する材料を用いて構成しなくても良い。このため、フレネルレンズが変形せず、より良好な拡大表示を実現できる。
【発明の効果】
【００１６】
本発明によれば、電子機器のディスプレイを簡単に拡大表示でき、その電子機器の携帯性および収納性を損なうことなく、第三者の覗き見を有効に防止することができる。
【図面の簡単な説明】
【００１７】
【図１】本発明の第１の実施の形態に係る視認性改良シートの平面図である。
【図２】図１に示す視認性改良シートのＡ−Ａ線断面図である。
【図３】本発明の第２の実施の形態に係る視認性改良シートの平面図である。
【図４】本発明の第２の実施の形態に係る視認性改良シートを図１のＡ−Ａ線と同様の線で切断して示す断面図である。
【図５】本発明の第３の実施の形態に係る視認性改良シートを図１のＡ−Ａ線と同様の線で切断して示す断面図である。
【図６】本発明に係る視認性改良シートを携帯電話のディスプレイに貼り付けた状態示す図である。
【図７】本発明に係る視認性改良シートを携帯電話のディスプレイから取り外している状態示す図である。
【発明を実施するための形態】
【００１８】
以下に、本発明に係る視認性改良シートの好適な実施の形態について、図面を参照しながら詳しく説明する。ただし、本発明は、以下に説明する好適な各実施の形態に何ら限定されるものではない。
【００１９】
(第１の実施の形態)
図１は、本発明の第１の実施の形態に係る視認性改良シート１００の平面図である。図２は、図１に示す視認性改良シート１００のＡ−Ａ線断面図である。
【００２０】
図１および図２に示すように、視認性改良シート１００は、透明樹脂フィルム１０と、その片面に配置される微細な凹凸からなるフレネルレンズ２０とを主に備えている。
【００２１】
透明樹脂フィルム１０は、所要寸法の形状に成形される表面が平滑な板状部材である。透明樹脂フィルム１０に用いられる材料は、例えば、ポリカーボネート樹脂、ポリエチレンテレフタレート樹脂、ポリブチレンテレフタレート樹脂、ポリプロピレン樹脂、塩化ビニル樹脂、ポリエチレン樹脂、ポリアミド樹脂、ポリウレタン樹脂、アクリル樹脂、ポリエステル樹脂などを好適に用いることができる。これらの樹脂材料の内、透明性、易成形性、入手容易性、表面状態が良好であることから、特に、ポリカーボネート樹脂またはポリエチレンテレフタレート樹脂を好適に用いることができる。ただし、上述の樹脂材料は一例に過ぎず、他の樹脂材料を採用しても良い。なお、樹脂材料は、上記のような一種類の樹脂材料でも、二種類以上の樹脂材料の混合物でも良い。また、透明樹脂フィルム１０には、本発明の効果を損なわない範囲で、熱安定剤、抗酸化剤、光安定剤などの添加剤を添加することもできる。
【００２２】
また、透明樹脂フィルム１０の製造方法は、特に制限されるものではなく、公知の技術を用いることができる。例えば、透明性樹脂のような原料を使用したキャスト成形あるいは押出成形、射出成形、プレス成形などによって、透明樹脂フィルム１０を製造することができる。
【００２３】
フレネルレンズ２０は、電子機器のディスプレイに表示される情報が透過する際の屈折によって、当該表示を拡大させると共に、視認可能な角度を制限させる部材である。フレネルレンズ２０は、レンズ面を連続面ではなく、微細な階段状の凹凸を有するレンズである。また、同一平面に対して同心円状のプリズムを並べて構成しても良い。通常の凹凸構造を有する球状レンズ、非球面レンズまたは半円筒レンズに比べて、フレネルレンズ２０自体の厚みを薄くできると共に、短い焦点距離を実現させることができる。このため、視認性改良シート１００の薄型化を図ることができる。
【００２４】
フレネルレンズ２０は、透明樹脂フィルム１０より低硬度であり、柔軟性および繰り返し着脱可能な粘着性を有する透明の材料を用いるのが好ましい。すなわち、電子機器のディスプレイの表面に、直接、フレネルレンズ２０をその自己粘着力を利用し手貼り付けることができる。この場合は、所望の大きさを有する視認性改良シート１００を目的のディスプレイの表面に当て、手で押さえることにより、容易に貼り付けることができる。また、必要に応じて、視認性改良シート１００を剥離し、再度貼り付けて使用でき、貼着ミスがあっても貼り直しが可能である。また、フレネルレンズ２０は、好適には、柔軟性のある透明のポリマーから構成できるので、電子機器のディスプレイを傷付けにくい。
【００２５】
フレネルレンズ２０に用いられる透明のポリマーは、例えば、樹脂、ゴム、軟質塩化ビニル、エラストマーまたはプラストマーからなるものなどを好適に用いることができる。樹脂としては、紫外線硬化樹脂、ウレタンアクリレート樹脂、アクリル系樹脂などが挙げられる。また、ゴムとしては、天然ゴム、シリコーンゴム、エチレンプロピレンゴム、アクリロニトリルブタジエンゴム、スチレンブタジエンゴム、クロロプレンゴム、アクリルゴム、フッ素ゴムおよびウレタンゴムなどが挙げられる。また、軟質塩化ビニルとしては、塩化ビニル系樹脂に可塑剤またはほかの軟質ポリマーを配合したものが挙げられる。また、エラストマーとしては、ポリエステル系、ポリアミド系あるいはポリオレフィン系の熱可塑性エラストマーが挙げられる。また、プラストマーとしては、ポリオレフィン系プラストマーが例示される。なお、これらの透明のポリマーは、単体で用いても良く、また２種類以上を混合して用いても良い。これらの透明のポリマー材料のうち、透明性、粘着力の易調整性および入手容易性が良好であることから、特に、シリコーンゴムまたはウレタンゴムをより好適に用いることができる。また、上記の透明のポリマーは、透明度を阻害しない範囲で各種の機能化剤または安定化剤などを含有することができる。
【００２６】
フレネルレンズ２０を形成する方法としては、例えば、透明樹脂フィルム１０の裏側の所望の部分に、柔軟性および繰り返し着脱可能な粘着性を有する透明のポリマーを押出法、塗工法、注型法、プレス法、射出成形法、紫外線硬化法、または熱硬化法によって形成することができる。このフレネルレンズ２０は、透明樹脂フィルム１０の片側の全面に形成しても良く、また部分的に形成しても良い。この部分的に形成する手段としては、スクリーン印刷法を例示できる。
【００２７】
このような構成を有する視認性改良シート１００では、電子機器のディスプレイに簡単で繰り返し着脱でき、かつディスプレイの表示内容を拡大する機能および第三者の覗き見を有効に防止するプライバシー保護機能を達成できる。すなわち、ディスプレイの表面に対してフレネルレンズ２０にて視認性改良シート１００を貼り付けると、そのまま両者を固定できる。このため、この視認性改良シート１００を手で保持することなく、使用者が視認性改良シート１００を貼り付けたディスプレイを見ると、フレネルレンズ２０によってディスプレイに表示される文字および図形を拡大して視認することができる。また、フレネルレンズ２０にてディスプレイの視野角を狭めるので、第三者による覗き見が困難となり、使用者のプライバシーを有効に保護することができる。また、柔軟性および繰り返し着脱可能な粘着性を有する透明のポリマーを用いて視認性改良シート１００のフレネルレンズ２０が形成されることによって、ディスプレイの表面を傷つけにくくなると同時に、ディスプレイの表面から取り外して保管したり、他のディスプレイに移して再使用することもできる。
【００２８】
(第２の実施の形態)
次に、本発明の第２の実施の形態に係る視認性改良シート２００について説明する。
【００２９】
第２の実施の形態に係る視認性改良シート２００は、先に説明した第１の実施の形態に係る視認性改良シート１００と共通の部分を有している。なお、以後、第２の実施の形態以降の実施の形態の説明において、各共通の部分については、第１の実施の形態と同じ符号にて示し、また、同じ構造の部分については、重複する説明を省略する。
【００３０】
図３は、本発明の第２の実施の形態に係る視認性改良シート２００の平面図である。図４は、本発明の第２の実施の形態に係る視認性改良シート２００を図１のＡ−Ａ線と同様の線で切断して示す断面図である。
【００３１】
第２の実施の形態では、図３および図４に示すように、第１の実施の形態と異なり、視認性改良シート２００において、さらに、透明樹脂フィルム１０の周縁方向に突出するリブ部５が設けられる。ただし、リブ部５を形成する位置は、図３に示す透明樹脂フィルム１０の右側の下端に限定されず、必要に応じて他の位置に設けても良い。また、図４に示すように、使用時以外、視認性改良シート２００のフレネルレンズ２０の裏面を覆うことができるように、剥離フィルム３０が設けられている。
【００３２】
剥離フィルム３０は、視認性改良シート２００のフレネルレンズ２０を保護するためそのフレネルレンズ２０を覆うフィルムであり、好適には、アクリル樹脂、ポリカーボネート樹脂製の部材である。ただし、剥離フィルム３０を、アクリル樹脂、ポリカーボネート樹脂以外の樹脂、例えば、ポリエチレンテレフタレート樹脂、ポリプロピレン樹脂、ポリメチルメタクリレート樹脂、ベンジルメタクリレート樹脂、あるいはＭＳ樹脂などから成るものとしても良い。
【００３３】
リブ部５と剥離フィルム３０とを配置することによって、電子機器のディスプレイの表面から視認性改良シート２００を容易に取り外すことができると共に、視認性改良シート２００の携行が容易であり、また、保管する場合には、視認性改良シート２００のフレネルレンズ２０の裏面に剥離フィルム３０を元通り貼り付けておけば、再使用が容易になる。
【００３４】
(第３の実施の形態)
次に、本発明の第３の実施の形態に係る視認性改良シート３００について説明する。
【００３５】
図５は、本発明の第３の実施の形態に係る視認性改良シート３００を図１のＡ−Ａ線と同様の線で切断して示す断面図である。
【００３６】
第３の実施の形態では、図５に示すように、第１の実施の形態と異なり、視認性改良シート３００は、透明樹脂フィルム１０と、その裏側に配置される微細な凹凸からなるフレネルレンズ２０と、フレネルレンズ２０の表面に形成される凹凸より突出する受け枠４０と、を主に備えている。
【００３７】
受け枠４０は、透明樹脂フィルム１０の裏面においてフレネルレンズ２０の周囲に設けられる部材であり、透明樹脂フィルム１０より低硬度であり、柔軟性および繰り返し着脱可能な粘着性を有する透明の材料を用いることによって形成するのが好ましい。このため、電子機器のディスプレイの表面に、直接、受け枠４０をその自己粘着力で貼り付けることができる。この場合は、所望の大きさを有する視認性改良シート３００を目的のディスプレイの表面に当て、手で押さえることにより、両者を容易に貼り付けることができる。また、必要に応じて、視認性改良シート３００を剥離し、再度貼り付けて使用でき、貼着ミスがあっても貼り直しが可能である。また、受け枠４０は、好適には、柔軟性のある透明なポリマーから構成できるので、携帯機器のディスプレイを傷付けにくい。
【００３８】
受け枠４０に用いられる透明のポリマーは、第１の実施の形態に係る視認性改良シート１００を構成するフレネルレンズ２０と同じ材料、例えば、シリコーンゴム、ウレタンゴム、塩化ビニル系樹脂、あるいはポリエステル系、ポリアミド系もしくはポリオレフィン系の熱可塑性エラストマーなどを好適に用いることができる。特に、シリコーンゴムまたはウレタンゴムをより好適に用いることができる。
【００３９】
受け枠４０を形成する方法としては、例えば、透明樹脂フィルム１０の裏側のフレネルレンズ２０の周囲に、柔軟性および繰り返し着脱可能な粘着性を有する透明のポリマーを押出法または塗工法によって形成することができる。また、必要に応じて、別途、成型加工によって所要形状および寸法に形成した受け枠４０を、所望位置に接着剤により接着しても良い。受け枠４０は、フレネルレンズ２０の全周囲に設けるのが好ましいが、周囲において、部分的に形成しても良い。
【００４０】
このような構成を有する視認性改良シート３００では、電子機器のディスプレイに簡単で繰り返し着脱でき、かつディスプレイの表示内容を拡大する機能および第三者の覗き見を有効に防止するプライバシー保護機能を達成できる。すなわち、ディスプレイの表面に対して受け枠４０にて視認性改良シート３００を貼り付けると、そのまま両者を固定できる。視認性改良シート３００は、受け枠４０によってフレネルレンズ２０が持ち上げられるため、使用者が視認性改良シート３００を貼り付けたディスプレイを見ると、フレネルレンズ２０によってディスプレイに表示される文字および図形などを拡大して視認することができる。また、フレネルレンズ２０にてディスプレイの視野角を狭めるので、第三者による覗き見が困難となり、使用者のプライバシーを有効に保護することができる。また、柔軟性および繰り返し着脱可能な粘着性を有する透明のポリマーを用いて視認性改良シート３００の受け枠４０が形成されることによって、ディスプレイの表面を傷つけにくくできると同時に、ディスプレイの表面から取り外して保管したり、他のディスプレイに移して再使用することができる。また、フレネルレンズ２０の部分はディスプレイの表面に接触しないので、必ずしも柔軟性および繰り返し着脱可能な粘着性を有する材料を用いずにフレネルレンズ２０を構成できる。このため、フレネルレンズ２０が変形せず、より良好な拡大表示を実現できる。
【００４１】
図６は、上述の本実施の形態に係る視認性改良シート１００，２００，３００を携帯電話１のディスプレイに貼り付けた状態示す図である。図７は、視認性改良シート１００，２００，３００を携帯電話１のディスプレイから取り外している状態示す図である。
【００４２】
図６に示すように、視認性改良シート１００，２００，３００を、携帯電話１のディスプレイと略同一の形状および寸法として、その表面に貼り付けると、特に外観上目立たず、携帯電話全体が大きくならない。このため、携帯電話１の本来の意匠性を確保しながら、ディスプレイの表示内容を拡大する機能および第三者の覗き見を有効に防止するプライバシー保護機能を達成できる。また、図７に示すように、視認性改良シート１００，２００，３００を携帯電話１のディスプレイの表面から取り外すには、ディスプレイの表面に対してフレネルレンズ２０もしくは受け枠４０にて貼り付けられているので、視認性改良シート１００，２００，３００の一端に手で力を加えて持ち上げることで簡単に取り外すことができる。
【００４３】
以上、本発明に係る視認性改良シートの好適な実施の形態について説明したが、本発明は、上述の各実施の形態に何ら限定されることなく、種々変形した形態にて実施可能である。
【００４４】
例えば、各実施の形態では、視認性改良シート１００，２００，３００の形状または大きさは、電子機器のディスプレイの寸法に応じて適切に変更することが可能である。
【００４５】
また、透明のポリマー、例えばシリコーンゴムを用いてフィルムを作り、そして透明樹脂フィルム１０と接する面と反対側の面には、フレネルレンズ２０を備えるレンズフィルムを形成しても良い。
【００４６】
また、第３の実施の形態では、使用時以外は視認性改良シート３００の受け枠４０の裏面を覆うように剥離フィルム３０が形成されても良い。
【符号の説明】
【００４７】
１…携帯電話
５…リブ部
１０…透明樹脂フィルム
２０…フレネルレンズ
３０…剥離フィルム
４０…受け枠
１００，２００，３００…視認性改良シート
【図１】
2010243703.tif 000003
【図２】
2010243703.tif 000004
【図３】
2010243703.tif 000005
【図４】
2010243703.tif 000006
【図５】
2010243703.tif 000007
【図６】
2010243703.tif 000008
【図７】
2010243703.tif 000009